(57)【要約】【課題】紙面等に記載された文字、図形等を撮像する際に、確実に鮮明な画像を得ることができるようにする。【解決手段】所定方向へ延びるヒンジ部４により回動自在に連結され互いに折り畳み自在な蓋部２及び操作部３と、蓋部２におけるヒンジ部４と略直交する外側縁２ｂの一方に沿って延び、撮像軸１０ａが蓋部２側へ指向する撮像装置１０が内蔵され、ヒンジ部４と略平行な回動軸を中心として回動自在な撮像部８と、を備えた携帯電話端末１において、蓋部２及び操作部３の外側縁２ｂ，３ｂの他方が下方となるように所定の平坦面Ｆに載置した際に、この平坦面Ｆと撮像部８の距離Ｄｒと、撮像装置１０の焦点距離Ｄｆとが略一致するよう構成した。【選択図】  図５
2004253898.tif 000002
【特許請求の範囲】
【請求項１】
所定方向へ延びるヒンジ部により回動自在に連結され、互いに折り畳み自在な第１筐体及び第２筐体と、
前記第１筐体におけるヒンジ部と略直交する外側縁の一方に沿って延び、撮像軸が第１筐体側へ指向する撮像装置が内蔵され、ヒンジ部と略平行な回動軸を中心として回動自在な撮像部と、を備えた携帯用電子機器において、
前記第１筐体及び第２筐体の外側縁の他方が下方となるように所定の平坦面に載置した際に、この平坦面と撮像部の距離と、撮像装置の焦点距離とが略一致するよう構成したことを特徴とする携帯用電子機器。
【請求項２】
前記撮像部は、ヒンジ部の一端側に回動自在に連結されることを特徴とする請求項１に記載の携帯用電子機器。
【発明の詳細な説明】
【０００１】
【発明の属する技術分野】
本発明は、互いに折り畳み自在に構成された第１筐体及び第２筐体を備え、被写体を撮像する撮像部を有する携帯用電子機器に関するものである。
【０００２】
【従来の技術】
現在、携帯電話端末等のような携帯用電子機器においては、ヒンジ部を介して互いに折り畳み自在の第１筐体及び第２筐体を備えたものが主流となりつつある（例えば、特許文献１参照。）。この種の携帯用電子機器として、所定方向に延びるヒンジ部の一端側に回動自在に連結され被写体を撮像する撮像部を備えたものが知られている。
【０００３】
第１筐体と第２筐体とは、展開時に、筐体ロック機構により互いのなす角が設定展開角度となるようロックされる。撮像部は、第１筐体におけるヒンジ部と略直交する外側縁の一方に沿って延び、ヒンジ部と略平行な回動軸を中心として回動する。また、撮像部には、撮像軸が第１筐体側へと指向する撮像装置が内蔵されている。これにより、各筐体の展開時に、第１筐体に沿った状態から第１筐体から離隔する方向へと撮像部を回動させて、電子機器外部の被写体を撮像することができるようになっている。
【０００４】
【特許文献１】
特開２００２−１７１１８９号公報
【０００５】
【発明が解決しようとする課題】
ところで、前記携帯用電子機器では、例えば紙面に記載された文字、図形等を撮像する際に、使用者等は、撮像軸の焦点距離と、撮像部及び紙面の距離とが一致するよう見当をつけて携帯用電子機器を移動させ、撮像することとなる。
しかしながら、使用者等の感覚に頼って携帯用電子機器の位置が決定されるので、撮像軸の焦点距離を、撮像部及び紙面の距離と一致させることが極めて困難であった。これにより、撮像装置の焦点が紙面とずれた位置で撮像してしまい、得られた画像の文字、図形等が不鮮明になるという問題点があった。また、携帯用電子機器を把持した状態であるので、手ブレ等によっても、文字、図形等が不鮮明となるおそれもある。
【０００６】
本発明は、前記事情に鑑みてなされたものであり、その目的とするところは、紙面等に記載された文字、図形等を撮像する際に、確実に鮮明な画像を得ることができる携帯用電子機器を提供することにある。
【０００７】
【課題を解決するための手段】
前記目的を達成するため、請求項１に記載の発明では、
所定方向へ延びるヒンジ部により回動自在に連結され、互いに折り畳み自在な第１筐体及び第２筐体と、
前記第１筐体におけるヒンジ部と略直交する外側縁の一方に沿って延び、撮像軸が第１筐体側へ指向する撮像装置が内蔵され、ヒンジ部と略平行な回動軸を中心として回動自在な撮像部と、を備えた携帯用電子機器において、
前記第１筐体及び第２筐体の外側縁の他方が下方となるように所定の平坦面に載置した際に、この平坦面と撮像部の距離と、撮像装置の焦点距離とが略一致するよう構成したことを特徴とする。
【０００８】
また、請求項２に記載の発明では、請求項１に記載の携帯用電子機器において、
前記撮像部は、ヒンジ部の一端側に回動自在に連結されることを特徴とする。
【０００９】
請求項１及び２に記載の発明によれば、第１筐体及び第２筐体の外側縁の他方が下方となるように所定の平坦面に載置した際に、この平坦面と撮像部の距離と、撮像装置の距離とが略一致するので、平坦面上の被写体を撮像装置の焦点距離で的確に撮像することができる。
すなわち、この平坦面が文字、図形等が記載された紙面であれば、紙面の文字、図形等の鮮明な画像を取得することができる。このとき、電子機器は、平坦面に載置されており、静止した状態であるので、撮像時にブレ等を生じることもない。
【００１０】
【発明の実施の形態】
図１から図５は本発明の一実施形態を示すもので、図１（ａ）は蓋部及び操作部を展開した状態を示した正面図、図１（ｂ）は蓋部及び操作部が折り畳まれた状態を示した背面図、図２はヒンジ部の正面断面図、図３は撮像装置の外観斜視図、図４は撮像装置の正面断面図、図５は蓋部及び操作部を展開して平坦面に載置した状態を示す携帯電話端末の外観図である。
【００１１】
図１（ａ）に示すように、携帯用電子機器としての携帯電話端末１は、互いに折り畳み自在に構成された第１筐体としての蓋部２と、第２筐体としての操作部３とを有している。また、蓋部２と操作部３とはヒンジ部４を介して回動自在に接続されている。図１及び図２に示すように、ヒンジ部４は略円筒状に形成されており、ヒンジ部４内には、蓋部２及び操作部３を所定の設定展開角にてロックするヒンジロック機構５が配設されている。
【００１２】
図１（ｂ）に示すように、蓋部２と操作部３とは、互いに内面２ａ，３ａを対向させた状態で折り畳まれる。蓋部２の内面２ａには表示部６が配され、操作部３の内面３ａには操作キー７が配される。これにより、蓋部２と操作部３とを展開した状態で、使用者等は、蓋部２の表示部６にて電子機器１の動作状態を認識するとともに、操作キー７による電子機器１の操作が可能となっている。
【００１３】
ヒンジ部４は、略円筒状に形成され、内部に筐体ロック機構としてのヒンジロック機構５が配される。本実施形態においては、ヒンジ部４は、蓋部２と一体成形された第１円筒部４ａと、操作部３と一体成形された第２円筒部４ｂとを有し、図１（ａ），（ｂ）に示すように、各円筒部４ａ，４ｂが直列的に配されている。
【００１４】
ヒンジロック機構５の一例を図２に示す。図２に示すように、ヒンジロック機構５は、第１円筒部４ａと第２円筒部４ｂの一方側に設けらればね７ａにより他方側へ付勢される第１円盤部材７ｂと、各円筒部４ａ，４ｂの他方側に設けられこの第１円盤部材７ｂと摺接する第２円盤部材７ｃとを有している。
【００１５】
第１円盤部材７ｂの他方側の面には、径方向に所定の間隔をおいて突起７ｂ１が形成され、第２円盤部材７ｃの一方の面には、径方向に所定の間隔をおいて凹部７ｃ１が形成されている。そして、突起７ｂ１が凹部７ｃ１に嵌り込むことにより、各円筒部４ａ，４ｂがロックされ、蓋部２と操作部３とが所定の角度でロックされる。本実施形態においては、蓋部２と操作部３とが折り畳まれた展開角度が約０°の状態と、蓋部２と操作部３とがほぼ最大の展開角となる約１６０°の状態とで、蓋部２と操作部３とがロックされる。すなわち、本実施形態においては、設定展開角は約１６０°であり、ヒンジロック機構５により蓋部２と操作部３のなす角が約１６０°となるようにロックされる。
【００１６】
また、この携帯電話端末１では、図１（ａ），（ｂ）に示すように、ヒンジ部４の一端側に撮像部８が回動自在に接続される。この撮像部８は、蓋部２におけるヒンジ部４と略直交する外側縁２ｂの一方に沿って延びる。また、撮像部８は、略円筒形状を呈するケース体９と、このケース体９に内蔵される撮像装置１０（図３参照）とを有している。撮像装置１０の撮像軸１０ａは、図５に示すように、蓋部２側へ指向する。また、撮像装置１０は、表示部６、操作キー７等とともに制御部（図示せず）に接続される。
【００１７】
また、ヒンジ部４における第１円筒部４ａ及び第２円筒部４ｂと同様に、ヒンジ部４の第２円筒部４ｂとケース体９とを所定の角度で位置決めする撮像ロック機構（図示せず）が設けられている。この撮像ロック機構は、前述のヒンジロック機構５と同様の構成であるので、ここでは詳述しない。本実施形態においては、撮像部８が複数のロック角度にて位置決めされるようになっている。
【００１８】
図３及び図４に示すように、撮像装置１０は、一枚の基板ＰＣの一方の面上に光を感じるセンサとなる撮像素子１１と、この撮像素子１１に集光させるための光学部材１２と、この光学部材１２に入射する光の量を調節する絞り板１３と、撮像素子１１を覆い隠す鏡枠１４と、遮光性を有する遮光板１５と、遮光板１５に支持されるフィルタ１６と、光学部材を押圧する押圧部材１７と、光学部材１２の位置決めを行うための位置決め電気部品１８とを有している。以下、これらの撮像装置１０の各構成要素について説明する。
【００１９】
光学部材１２は、透明なガラス又はプラスチック材料を素材とし、図４に示すように、管状の脚部１２ａと、この脚部１２ａに支持される凸レンズ形状のレンズ部１２ｂとが一体的に形成されている。
また、光学部材１２のレンズ部１２ａの上部には、遮光性のある素材からなり、凸レンズ部１２ａの絞り値（Ｆ値）を規定する第１の絞りとしての開口１３ａを有する絞り板１３が接着剤Ｂにより固定されている。
【００２０】
光学部材１２の外側には、遮光性のある素材からなる外枠部材としての鏡枠１４が配置されている。鏡枠１４には、図３及び図４に示すように、角柱状の下部１４ａと、円筒状の上部１４ｂとが設けられている。下部１４ａの下端部は、基板ＰＣ上に鏡枠１４が取り付けられる際に、接着剤Ｂにより固着される。
【００２１】
一方、鏡枠１４の上部１４ｂの上端には、遮光板１５が接着剤Ｂにより取り付けられている。遮光板１５は、その中央に第２の絞りとしての開口１５ａを有している。遮光板１５の中央の開口１５ａの下方に、赤外線吸収特性を有する素材からなるフィルタ１６が接着剤Ｂにより接合されている。
【００２２】
そして、この遮光板１５とフィルタ１６とでカバー部材を構成する。このように、基板ＰＣと鏡枠１４とカバー部材とが密着し接合しているので、撮像装置１０は、防塵、防湿の構造を有する。
【００２３】
図４において、光学部材１２と、遮光板１５との間には、例えば、コイルばねなどの弾性部材により構成された押圧部材１７が配置されている。遮光板１５が鏡枠１４に取り付けられることで、遮光板１５が押圧部材１７を押圧して、押圧部材１７が弾性変形する。この押圧部材１７は、光学部材１２を図４中、下方に向かって所定の押圧力により押圧して、光学部材１２を撮像素子１１に付勢する。ここで、遮光板１５から下方の撮像素子１１に向かう力が加わった際、押圧部材１７が弾性変形することにより、その力を吸収する緩衝作用が働くので、その力は直接撮像素子１１には伝達されず、撮像素子１１が破損することを防ぐ効果がある。
【００２４】
撮像素子１１は、ＣＭＯＳ型イメージセンサからなる。矩形薄板状の撮像素子１１の下面は、基板ＰＣの上面に取り付けられている。撮像素子１１の上面中央には、画素が２次元的に配列された光電変換部１２ａが形成されている。その外側に処理部（図示しない）が形成されており、処理部の外縁近傍には、複数のパッド（図示しない）が配置されている。結線用端子であるパッドは、図３に示すように、ワイヤＷを介して基板ＰＣに接続されている。ワイヤＷは、基板ＰＣ上の所定の回路に接続されている。
【００２５】
本実施形態の携帯電話端末１は、以上のように構成された撮像装置１０を備え、図５に示すように、ヒンジロック機構５により蓋部２と操作部３とをロックした状態で、蓋部２及び操作部３の外側縁２ｂ，３ｂの他方が下方となるように、携帯電話端末１を所定の平坦面Ｆに載置した際に、この平坦面Ｆと撮像部８の距離Ｄｒと、撮像装置１０の焦点距離Ｄｆとが略一致するよう構成される。尚、本実施形態においては、焦点距離Ｄｆは撮像装置１０固有の値であり一定である。
【００２６】
また、撮像ロック機構は、蓋部２及び操作部３の外側縁２ｂ，３ｂの他方が下方となるように、携帯電話端末１を所定の平坦面Ｆに載置した際に、撮像軸１０ａが蓋部２及び操作部３の略中間を指向するよう撮像部８をロックする。本実施形態においては、蓋部２と操作部３はほぼ同じ大きさであるので、図５に示すように、設定展開角の略中央を指向する方向にロックするようになっている。
【００２７】
以上のように構成された携帯電話端末１では、蓋部２及び操作部３の外側縁２ｂ，３ｂの他方が下方となるように所定の平坦面Ｆに載置した際に、この平坦面Ｆと撮像部８の距離Ｄｒと、撮像装置１０の焦点距離Ｄｆとが略一致するので、平坦面Ｆ上の被写体を撮像装置１０の焦点距離Ｄｆで的確に撮像することができる。
【００２８】
すなわち、この平坦面Ｆが文字、図形、二次元コード等が記載された紙面であれば、紙面の文字、図形、二次元コード等の鮮明な画像を取得することができる。このとき、携帯電話端末１は、平坦面Ｆに載置されており、静止した状態であるので、撮像時にブレ等を生じることもない。
【００２９】
また、回動自在の撮像部８が、蓋部２及び操作部３の展開時に、蓋部２及び操作部３の略中央を指向するので、使用者等は紙面等の撮像部分の位置決めを容易に行うことができる。
【００３０】
このように、本実施形態の携帯電話端末１によれば、紙面等に記載された文字、図形、二次元コード等を撮像する際に、撮像部８の焦点距離Ｄｆと、撮像部８及び紙面等との距離Ｄｒを的確に略一致させることができる。これにより、撮像部８により紙面等に記載された文字、図形、二次元コード等の鮮明な画像を取得することができる。
【００３１】
また、携帯電話端末１が平坦面Ｆ上にて静止した状態で撮像することとなるので、撮像時にブレ等を生ずることもなく、これによっても、鮮明な画像を取得することができる。
【００３２】
尚、前記実施形態においては、携帯用電子機器として携帯電話端末１に本発明を適用したものを示したが、例えば、ＰＤＡ、パーソナルコンピュータ等のような他の携帯用電子機器に本発明が適用可能なことは勿論である。
【００３３】
また、前記実施形態においては、撮像部８の焦点距離Ｄｆが一定のものを示したが、焦点距離Ｄｆが多段階に変更可能なものであってもよい。この場合、例えば、マクロ撮影モード、通常撮影モード等に応じて焦点距離Ｄｆが変化するのであれば、撮像部における最短の焦点距離と、平坦面Ｆと撮像部の距離とが略一致するようにするとよい。
【００３４】
図６及び図７は本発明の変形例を示すもので、図６は携帯電話端末の概略ブロック図、図７は制御部の動作状態のフローチャートである。尚、この携帯電話端末は、前記実施形態のものと撮像装置及び制御部の構成を異にしており、他の構成は前記実施形態のものと同様である。以下、この携帯電話端末の撮像装置、制御部の構成及び動作について説明する。
【００３５】
図６に示すように、携帯電話端末１は、制御部１００、操作キー７、表示部６、アンテナを有する無線通信部１０１、記憶部１０２、撮像装置１１０、電源制御部１０３、送受話部１０４等を備えて構成され、各部はバス１０５により接続されている。
【００３６】
尚、本実施形態における撮像装置１１０は、比較的焦点距離Ｄｆが短く設定された近接撮影モードと、比較的焦点距離Ｄｆが長く設定されたマクロ撮影モードと、の２つの撮影モードに変更可能に構成されている。撮像装置１１０は、通常は近接撮影モードとなっており、制御部１００によって適宜にマクロ撮影モードへ移行するようになっている。本実施形態においては、近接撮影モードにおける焦点距離Ｄｆと、蓋部２及び操作部３の外側縁２ｂ，３ｂの他方が下方となるように携帯電話端末１を所定の平坦面Ｆに載置した際における平坦面Ｆと撮像部の距離Ｄｒと、が略一致するようになっている。
【００３７】
制御部１００は、ＣＰＵ（Ｃｅｎｔｒａｌ  Ｐｒｏｃｅｓｓｉｎｇ  Ｕｎｉｔ）１１１ａ、揮発性の半導体メモリで構成されるＲＡＭ（Ｒａｎｄｏｍ  Ａｃｃｅｓｓ  Ｍｅｍｏｒｙ）１１１ｂ、不揮発性の半導体メモリで構成されるＲＯＭ（Ｒｅａｄ  Ｏｎｌｙ  Ｍｅｍｏｒｙ）１１１ｃ等から構成されている。
【００３８】
ＲＯＭ１１１ｃには、図示しない、携帯電話端末１の基本動作制御プログラム、通信処理プログラム、表示部６に表示するための表示用データ、撮像に関するパラメータデータ（自動撮像用のデフォルトの設定データ、プレビュー表示処理用のデフォルトの設定データ）等の他、撮像制御プログラムｃ１、コード認識プログラムｃ２、コード認識用データｃ３が記憶されている。ここで、コード認識用データｃ３は、画像データに情報コードとしての二次元コードが含まれているかを判断するためのコード類似性係数（Ｑ）を設定する際の基準データである。
【００３９】
ＣＰＵ１１１ａは、操作キー７から入力される各種指示又は無線通信部１０１から入力されるデータに従って、ＲＯＭ１１１ｃに記憶されている各種プログラムの中から指定されたプログラムをＲＡＭ１１１ｂのワークエリアに展開し、この入力指示及び入力データにより上記プログラムに従って各種処理を実行する。そして、ＣＰＵ１１１ａは、その処理結果をＲＡＭ１１１ｂの所定の領域に格納するとともに、表示部６に表示させる。
【００４０】
具体的に、ＣＰＵ１１１ａは、ＲＯＭ１１１ｃに記憶される撮像制御プログラムｃ１を読み出して、後述する撮像制御処理を実行する。
撮像制御処理として、ＣＰＵ１１１ａは、操作キー７から入力される使用者の操作指示等に従って、撮像装置１１０を制御して、撮像させた撮像画像データをＲＡＭ１１１ｂに所定のメモリ等に格納した上で、フレームレート２５ｆｐｓで、表示部６にプレビュー表示させる。
また、ＣＰＵ１１１ａは、コード認識手段として、コード認識プログラムｃ２に従って、撮像画像データに対して二次元コードである可能性のある二次元コード対象を認識するコード処理を実行する。具体的に、ＣＰＵ１１１ａは、５フレーム毎に、撮像画像データと、コード認識用データｃ３とを対照することにより、撮像画像データに二次元コードが含まれているか否かの判断を実行する。より具体的には、ＣＰＵ１１１ａは、類似性係数算出手段として、撮像画像データと、類似性係数算定用情報としてのコード認識用データｃ３とを対照することにより、二次元コード対象にコード類似性係数を算出し、このコード類似性係数の値に基づいて、二次元コードである可能性のある二次元コード対象（情報コード対象）や二次元コードを認識する。
【００４１】
更に、ＣＰＵ１１１ａは、切換制御手段として、コード類似性係数が、コードを含んでいる可能性があるが、決定的でない数値であると判断した二次元コード対象がある場合、撮像装置１１０により近接撮影モードからマクロ撮影モードによる撮像処理を行うように切換制御処理する。
【００４２】
また、ＣＰＵ１１１ａは、撮像画像データ中に二次元コードを認識した場合には、解読手段として、二次元コードのデコード処理するとともに、表示制御手段として、表示部６に表示させる。
また、ＣＰＵ１１１ａは、実行手段として、デコード処理を行った情報コードの情報に基づく動作を実行する。
【００４３】
操作キー７は、テンキー、各種機能キー、通話モード及びカメラモードの切換えを行うモード切換キー等を備えており、撮像処理の実施指示の入力等に用いられる。
【００４４】
表示部６は、ＬＣＤ（Ｌｉｑｕｉｄ  Ｃｒｙｓｔａｌ  Ｄｉｓｐｌａｙ）パネル等により構成され、制御部１００から入力される表示データに基づいて画面表示を行う。また、表示部６は、撮像装置１１０によってプレビュー撮像された画像や、制御部１００により復号（デコード）されたコード情報内容等を表示する。
【００４５】
無線通信部１０１は、無線基地局（図示せず）との間で着信や発信等に係る無線信号の送受信を行うアンテナを備え、制御部１００から入力される指示に従って、無線基地局との間で、例えば、ＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００４６】
記憶部１０２は、制御部１００により実行された処理結果のデータ等を記憶する。例えば、記憶部１０２は、撮像装置１１０により撮像された画像のデータ、無線通信部１０１を介して送受信したメールのデータ、通話履歴のデータ等を記憶する。
【００４７】
撮像装置１１０は、制御部１００の制御に基づいて、近接撮影モードと、マクロ撮影モードとによる撮像処理が実行可能に構成されている。本実施形態では、制御部１００は、近接撮影モードにより取得された画像に二次元コード等が存在すると、二次元コードの認識に適したマクロ撮影モードへと移行するように制御する。
【００４８】
電源制御部１０３は、例えば、リチウム電池、ニッケル電池、ニカド電池等の２次電池により構成され、電源が投入されると、制御部１００の制御に応じて、プラス側の端子及びマイナス側の端子から、携帯電話端末１の各部を駆動する駆動回路に所定電圧の電源を供給する。
【００４９】
送受話部１０４は、マイク、スピーカ、Ａ／Ｄ変換部、及びＤ／Ａ変換部（何れも図示せず）を有し、マイクから入力される使用者の送話音声をＡ／Ｄ変換処理して、その送話音声データをＣＰＵ１１１ａに出力するとともに、ＣＰＵ１１１ａから入力される受話音声データや、着信音、操作確認音、シャッタ音等の音声データをＤ／Ａ変換処理して、スピーカから出力する。
【００５０】
以下、図７のフローチャートを参照して、携帯電話端末１における撮像制御処理について説明する。
【００５１】
携帯電話端末１の使用者によって、操作キー７の所定のボタンが押圧されることにより、ＣＰＵ１１１ａは、撮像処理の指示の入力であると判断し、ＲＯＭ１１１ｃに記憶されている撮像制御プログラムｃ１を読み出してＲＡＭ１１１ｂに展開し、該撮像制御プログラムｃ１に従って、撮像処理の制御を開始する。
このとき、使用者は、携帯電話端末１を平坦面Ｆに載置して、撮像装置１１０を平坦面Ｆ上の被写体に向けることにより、図５に示すような、被写体（二次元コードのようなもの）を撮像することとする。
【００５２】
そして、ＣＰＵ１１１ａは、具体的には、ＲＡＭ１１１ｂに格納されている画像データのフレームのカウント数を０（Ｎ＝０）にリセットし（ステップＳ１０１）、近接撮影モードによる撮像処理の開始指示を撮像装置１１０に出力する。
【００５３】
すると、撮像装置１１０は、近接撮影モードにおける撮像処理として、光学部材により集光され、撮像素子の光電変換部に結像された被写体の撮像画像データを順次、制御部１００に出力する（ステップＳ１０２）。
【００５４】
すると、制御部１００のＣＰＵ１１１ａは、撮像装置１１０より順次入力される撮像画像データを、ＲＡＭ１１１ｂに格納するとともに、この撮像画像をフレームレート２５ｆｐｓで表示部６に表示させるプレビュー表示処理を実行する（ステップＳ１０３）。また、ＣＰＵ１１１ａは、プレビュー表示処理の実行と平行して、撮像装置１１０から入力される画像のフレーム数をカウント（Ｎ＝Ｎ＋１）し（ステップＳ１０４）、フレーム数が「５」であるかを判断する（ステップＳ１０５）。
そして、ＣＰＵ１１１ａは、フレーム数が「５」であると判断した場合（ステップＳ１０５：Ｙｅｓ）には、ステップＳ１０６に移行し、フレーム数が５でないと判断した場合（ステップＳ１０５：Ｎｏ）には、ステップＳ１０２に移行し、以降の工程を繰り返す。
【００５５】
次いで、ステップＳ１０６〜ステップＳ１０８において、ＣＰＵ１１１ａは、ＲＯＭ１１１ｃに記憶されているコード認識プログラムｃ２を読み出してＲＡＭ１１１ｂに展開し、このコード認識プログラムｃ２に従って、コード認識処理の制御を開始する。具体的に、ＣＰＵ１１１ａは、フレーム数が「５」となったときの被写体の撮像画像データと、コード認識用データｃ３とを比較対照することにより、二次元コードの認識処理を実行する。
【００５６】
ここで、認識処理の方法として、例えば、被写体の撮像画像データに二次元コードであることを示す所定の切り出しシンボルを検出することにより認識する方法、或いは、被写体の撮像画像データの濃度により認識する方法、二次元コードの所定のモザイク形状を認識する方法等があるが、これらに限定されるものではない。
【００５７】
具体的に、ＣＰＵ１１１ａは、ステップＳ１０６において、撮像画像データと類似性係数算定情報としてのコード認識用データｃ３と比較することにより、該撮像画像データの二次元コードである可能性を判断するためのコード類似性係数（Ｑ）を算出する。
【００５８】
次いで、ＣＰＵ１１１ａは、算出されたコード類似性係数（Ｑ）の値が、「０．５」以上であるか否かを判断し（ステップＳ１０７）、Ｑは「０．５」以上であると判断した場合（ステップＳ１０７：Ｙｅｓ）には、所定の二次元コードの可能性があると判断する。
一方、ＣＰＵ１１１ａは、算出されたコード類似性係数（Ｑ）が０．５未満であると判断した場合（ステップＳ１０７：Ｎｏ）には、二次元コードである可能性が少ないと判断し、フレームのカウントを０にリセット設定した（ステップ１０９）上で、ステップＳ１０２に移行し、以降の工程であるプレビュー表示処理と５フレーム毎のコード認識処理を繰り返す。
このように、ＣＰＵ１１１ａは、５フレーム毎に、被写体の撮像画像データに対し、二次元コードの認識処理を実行する。従って、ＣＰＵ１１１ａの処理負荷が低減されることとなって、平行して実行する被写体の撮像画像データの取得処理及び該撮像画像データのプレビュー表示処理への影響を軽減することができる。
【００５９】
ステップＳ１０８において、ＣＰＵ１１１ａは、コード類似性係数（Ｑ）が、「１」であるか否かを判断し、「１」であると判断した場合（ステップＳ１０８：Ｙｅｓ）には、二次元コードであると判断してステップＳ１１０に移行する。
一方、ＣＰＵ１１１ａは、コード類似性係数（Ｑ）が、「０．５」以上であるが「１」ではないと判断した場合（ステップＳ１０８：Ｎｏ）には、二次元コード対象（情報コード対象）であると認識する。そして、ＣＰＵ１１１ａは、撮像装置１１０にマクロ撮像を実行するようにマクロ撮影モード設定処理を実行し（ステップＳ１１１）、ステップＳ１０９に移行する。
そして以降の工程で、マクロ撮影モードにおける撮像処理として、ＣＰＵ１１１ａの制御により、撮像装置１１０の光学部材と撮像素子を用いて被写体の撮像画像データが取得され、表示部６にプレビュー表示される。また、ＣＰＵ１１１ａは、このマクロ撮影モードにおける撮像処理、プレビュー表示処理と平行して、マクロ撮影モードによる撮像画像データに対し、５フレーム毎のコード認識処理を実行する。このとき、マクロ撮影モードにおける撮像処理は、近接撮影モードにおける撮像処理に比べて、二次元コードの認識率が向上することとなり、近接撮影モードおいて二次元コードとしての可能性があるが確定ではないものとしての二次元コード対象が二次元コードとして認識される可能性が高くなる。これに伴って、被写体の撮像画像データにおける二次元コードの認識率が向上する。
【００６０】
ステップＳ１１０において、ＣＰＵ１１１ａは、認識された二次元コードのデコード処理を実行し、その二次元コードのコード情報内容を表示部６に表示させる（ステップＳ１１２）。
ここで、表示部６に表示されるコード情報内容としては、例えば、ＵＲＬアドレス、電子メールアドレス等の文字情報や、任意の画像情報等である。
尚、コード情報内容としての文字情報、画像情報等の表示部６に表示可能な内容の他、例えば、コード情報内容が音声情報である場合、送受話部１０４から放音処理を実行する構成であってもよい。
【００６１】
次いで、ＣＰＵ１１１ａは、使用者による操作キー７の操作により、表示部６に表示されたコード情報内容に対する所定の処理の指示信号が入力されたか否かを判断し（ステップＳ１１３）、指示信号が入力されたと判断した場合（ステップＳ１１３：Ｙｅｓ）には、該指示に応じた処理を実行（ステップＳ１１４）してステップＳ１１５に移行する。
ここで、コード情報内容に対する所定の処理とは、例えば、コード情報内容がＵＲＬアドレスである場合には、該ＵＲＬアドレスへの接続指示、コード情報内容が電子メールアドレスである場合には、該電子メールアドレス宛の電子メールの作成指示、コード情報内容が、電話番号、電子メールアドレス等である場合にはアドレス帳等への保存処理、その他、表示部６の表示画像の保存指示等であるが、これらに限定されるものではない。
【００６２】
一方、ＣＰＵ１１１ａは、ステップＳ１１３において、使用者からの指示信号の入力がないと判断した場合（ステップＳ１１３：Ｎｏ）、ステップＳ１１５に移行する。
そして、ステップＳ１１５において、ＣＰＵ１１１ａは、使用者の操作キー７の操作により、撮像処理の終了指示が入力されたか否かを判断し、入力されたと判断した場合には、撮像装置１１０に撮像処理の終了指示を出力することにより、本撮像制御処理を終了する。
一方、ＣＰＵ１１１ａは、撮像処理の終了指示の入力がないと判断した場合（ステップＳ１１５：Ｎｏ）は、ステップＳ１０９に移行し、以降の工程を繰り返す。
【００６３】
このように撮像制御処理を行うことにより、例えば、近接撮影モードによる撮像画像データのピントがぼけていたり、ノイズが多く含まれていることにより、二次元コードと明確に認識することができない場合であっても、その可能性がある場合には、二次元コードの認識に適したマクロ撮影モードによる撮像処理に自動的に切り換わるように撮像装置１１０が制御される。
【００６４】
従って、使用者に、撮影モードの設定変更の手間を課すことなく、携帯電話端末１を平坦面Ｆに載置した際に、自動的に撮影モードをマクロ撮影モードに切り換えることができる。このとき、マクロ撮影モードの焦点距離Ｄｆと、撮像部８と平坦面Ｆまでの距離とが略一致するので、鮮明な画像を取得することができ、二次元コードの認識精度を高めることができる。
【００６５】
また、撮像装置１１０による被写体の撮像画像データの取得処理、及びその撮像画像データのプレビュー表示処理と平行して、該撮像画像データ中の所定の二次元コードデータの認識処理、及び二次元コードデータのデコード処理が自動的に実行される。従って、使用者は、例えば、名刺や雑誌等に付けられている二次元コードを認識、解読するために面倒な設定をしなくとも通常の撮像処理の場合と同操作をすることで、自動的に二次元コードの読取、解読を行えなえることとなるので、大変使い勝手が良い。
【００６６】
また、近接撮影モードによる撮像画像データに二次元コードが含まれている可能性が少ない場合や、明確に二次元コードが認識できた場合には、撮影モードが切り換わらないので、効率的である。
【００６７】
尚、この変形例の制御部１００はあくまで一例であり、制御部の構成は本発明の目的を達成する範囲内で任意であるし、その他、具体的な細部構造等についても適宜に変更可能であることは勿論である。
【００６８】
【発明の効果】
以上詳述したように本発明によれば、
紙面等に記載された文字、図形、二次元コード等を撮像する際に、撮像部の焦点距離と、撮像部及び紙面等との距離を的確に略一致させることができる。これにより、撮像部により紙面等に記載された文字、図形、二次元コードの鮮明な画像を取得することができる。
また、携帯用電子機器が平坦面上にて静止した状態で撮像することとなるので、撮像時にブレ等を生ずることもなく、これによっても、鮮明な画像を取得することができる。
【図面の簡単な説明】
【図１】本発明の一実施形態を示す携帯電話端末の外観図であり、（ａ）は蓋部及び操作部を展開した状態を示した正面図、（ｂ）は蓋部及び操作部が折り畳まれた状態を示した背面図である。
【図２】ヒンジ部の正面断面図である。
【図３】撮像装置の外観斜視図である。
【図４】撮像装置の正面断面図である。
【図５】蓋部及び操作部を展開して平坦面に載置した状態を示す携帯電話端末の外観図である。
【図６】変形例を示す携帯電話端末の概略ブロック図である。
【図７】変形例を示す制御部の動作状態のフローチャートである。
【符号の説明】
１          携帯電話端末
２          蓋部
２ａ        内面
２ｂ        外側縁
３          操作部
３ａ        内面
３ｂ        外側縁
４          ヒンジ部
８          撮像部
１０ａ      撮像軸
Ｄｆ        焦点距離
Ｄｒ        撮像部と平坦面との距離
Ｆ          平坦面
【図１】
2004253898.tif 000003
【図２】
2004253898.tif 000004
【図３】
2004253898.tif 000005
【図４】
2004253898.tif 000006
【図５】
2004253898.tif 000007
【図６】
2004253898.tif 000008
【図７】
2004253898.tif 000009